(57)【要約】時間の経過とともに変化する電圧、波形、周波数を組み合わせて作成された複数の交流パターンを電位治療器に用意しておき、その中から使用者の体調、体質に応じた交流パターンを選択して、交流発生回路（９）によりその交流パターンに応じて電圧、波形、周波数が変化する高電圧交流を発生して、極板（１）に印加する。また、電位治療器の背もたれ部（１０）に上下動するマッサージ用もみ玉からなるマッサージユニット（１１）を配置するとともに、フットレスト（１４）にローラマッサージャを配置し、かつ背もたれ部（１０）上方にイオン発生ユニット（１６）を配置する。
2004030754.tif 000002
【特許請求の範囲】
【請求項１】
負側に偏位した高電圧交流を電界発生極板に印加して負の電界を発生する電位治療器において、
時間の経過とともに電圧が変化する電圧変化パターンを複数記憶した電圧変化パターン記憶手段と、
前記電圧変化パターン記憶手段に格納された複数の電圧変化パターンの中から１つを選択する電圧変化パターン選択手段と、
前記電圧変化パターン選択手段により選択された電圧変化パターンを前記電圧変化パターン記憶手段から読み取ってその電圧変化パターンに応じて電圧が変化する高電圧交流を発生する交流発生回路と、
を備えたことを特徴とする電位治療器。
【請求項２】
負側に偏位した高電圧交流を電界発生極板に印加して負の電界を発生する電位治療器において、
時間の経過とともに波形が変化する波形変化パターンを複数記憶した波形変化パターン記憶手段と、
前記波形変化パターン記憶手段に格納された複数の波形変化パターンの中から１つを選択する波形変化パターン選択手段と、
前記波形変化パターン選択手段により選択された波形変化パターンを前記波形変化パターン記憶手段から読み取ってその波形変化パターンに応じて波形が変化する高電圧交流を発生する交流発生回路と、
を備えたことを特徴とする電位治療器。
【請求項３】
負側に偏位した高電圧交流を電界発生極板に印加して負の電界を発生する電位治療器において、
時間の経過とともに周波数が変化する周波数変化パターンを複数記憶した周波数変化パターン記憶手段と、
前記周波数変化パターン記憶手段に格納された複数の周波数変化パターンの中から１つを選択する周波数変化パターン選択手段と、
前記周波数変化パターン選択手段により選択された周波数変化パターンを前記周波数変化パターン記憶手段から読み取ってその周波数変化パターンに応じて周波数が変化する高電圧交流を発生する交流発生回路と、
を備えたことを特徴とする電位治療器。
【請求項４】
負側に偏位した高電圧交流を電界発生極板に印加して負の電界を発生する電位治療器において、
時間の経過とともに変化する電圧、波形、周波数を組み合わせて作成された複数の交流パターンを記憶した交流パターン記憶手段と、
前記交流パターン記憶手段に格納された複数の交流パターンの中から１つを選択する交流パターン選択手段と、
前記交流パターン選択手段により選択された交流パターンを前記交流パターン記憶手段から読み取ってその交流パターンに応じて電圧、波形、周波数が変化する高電圧交流を発生する交流発生回路と、
を備えたことを特徴とする電位治療器。
【請求項５】
前記請求の範囲第１項に記載の電位治療器において、
前記電圧変化パターンは、方形波パターンではないことを特徴とする電位治療器。
【請求項６】
前記請求の範囲第４項に記載の電位治療器において、
前記交流パターンは、方形波パターンではないことを特徴とする電位治療器。
【請求項７】
前記請求の範囲第５項又は第６項に記載の電位治療器において、
前記電圧の変更は、１秒ごとに９０〜１１０ボルトステップで上昇または下降することを特徴とする電位治療器。
【請求項８】
前記請求の範囲第１項乃至第７項に記載の電位治療器において、
マッサージ器を有することを特徴とする電位治療器。
【請求項９】
前記請求の範囲第８項に記載の電位治療器において、
前記マッサージ器は、背もたれ部で上下動するマッサージ用もみ玉と、ローラマッサージャを有するフットレスト部と、を有することを特徴とする電位治療器。
【請求項１０】
前記請求の範囲第１項乃至第９項に記載の電位治療器において、
イオン発生器を有することを特徴とする電位治療器。
【発明の詳細な説明】
【技術分野】  本発明は、肩凝り、頭痛、不眠症、慢性便秘等に効果のある電位治療器に関し、更に、マッサージ器やイオン発生器を備えた電位治療器に関する。
【背景技術】  身体に負の高圧電界をかけて治療する電位治療器は、肩凝り、頭痛、不眠症、慢性便秘等に効果のあることが知られている。しかしながら、これらの症状を有する人々全てに効果があるとは限らず、効果が顕著にあらわれる場合と、そうでない場合がある。
また、初回には効果があらわれた人でも、二回、三回と繰り返して使用していくうちに、効果が消滅していく場合もある。反対に、初回は効果があらわれなくても、二回、三回と繰り返して使用していくうちに徐々に効果があらわれてくる場合がある。
また、使用時に、好転反応のため今までなかった他の症状が生じる場合もある。
以上のように、電位治療器に対する反応は十人十様であり、また同一の人でも使用する回数、慣れやその時の体調により身体の反応、効果が大きく異なってくる。これらの原因を探ると、従来の電位治療器は、発生する電界として、例えば、図１９に示すように、一定の固定されたパターンで電圧を変化させ、体質、体調の異なる種々の使用者を一様に治療していたことが考えられる。
又、治療時間の進行に合わせて電圧の変化を可能にする提案もなされている（例えば、特許文献１参照）。
［特許文献１］  特開２０００−１８９５２５公報
しかしながら、治療時間の進行に合わせて電圧を変化させることは個人の体質、体調の特性に合わせた変化ではなく、単に慣れに対する防止を図るに過ぎない。
そこで、本発明は、体質、体調の異なる種々の使用者に応じ、また同一の使用者であっても、電位治療器に対する慣れの程度に応じて、最も適した強度の治療を可能する電位治療器を提案することを目的とする。また、よりその効果を高めることのできる電位治療器を提供することを目的とする。
【発明の開示】
上記課題を解決するために、本発明の第１の要旨は、負側に偏位した高電圧交流を電界発生極板に印加して負の電界を発生する電位治療器において、時間の経過とともに電圧が変化する電圧変化パターンを複数記憶した電圧変化パターン記憶手段と、この電圧変化パターン記憶手段に格納された複数の電圧変化パターンの中から１つを選択する電圧変化パターン選択手段と、この電圧変化パターン選択手段により選択された電圧変化パターンを前記記憶手段から読み取ってその電圧変化パターンに応じて電圧が変化する高電圧交流を発生する交流発生回路とを備えたことを特徴とする。
本発明の第２の要旨は、負側に偏位した高電圧交流を電界発生極板に印加して負の電界を発生する電位治療器において、時間の経過とともに波形が変化する波形変化パターンを複数記憶した波形変化パターン記憶手段と、この波形変化パターン記憶手段に格納された複数の波形変化パターンの中から１つを選択する波形変化パターン選択手段と、この波形変化パターン選択手段により選択された波形変化パターンを前記波形変化パターン記憶手段から読み取ってその波形変化パターンに応じて波形が変化する高電圧交流を発生する交流発生回路とを備えたことを特徴とする。
本発明の第３の要旨は、負側に偏位した高電圧交流を電界発生極板に印加して負の電界を発生する電位治療器において、時間の経過とともに周波数が変化する周波数変化パターンを複数記憶した周波数変化パターン記憶手段と、この周波数変化パターン記憶手段に格納された複数の周波数変化パターンの中から１つを選択する周波数変化パターン選択手段と、この周波数変化パターン選択手段により選択された周波数変化パターンを前記周波数変化パターン記憶手段から読み取ってその周波数変化パターンに応じて周波数が変化する高電圧交流を発生する交流発生回路とを備えたことを特徴とする。
本発明の第４の要旨は、負側に偏位した高電圧交流を電界発生極板に印加して負の電界を発生する電位治療器において、時間の経過とともに変化する電圧、波形、周波数を組み合わせて作成された複数の交流パターンを記憶した交流パターン記憶手段と、この交流パターン記憶手段に格納された複数の交流パターンの中から１つを選択する交流パターン選択手段と、この交流パターン選択手段により選択された交流パターンを前記交流パターン記憶手段から読み取ってその交流パターンに応じて電圧、波形、周波数が変化する高電圧交流を発生する交流発生回路とを備えたことを特徴とする。
本発明の第５の要旨は、要旨１又は４において、前記電圧変化パターン又は交流パターンは、方形波パターンではないことを特徴とする。
本発明の第６の要旨は、要旨５において、前記電圧変化パターン又は交流パターンは、電圧を変更するときに１秒ごとに９０〜１１０ボルトステップで上昇または下降させることを特徴とする。
本発明の第７の要旨は、要旨１乃至６において、マッサージ器を有することを特徴とする。
本発明の第８の要旨は、要旨７において、前記マッサージ器は、背もたれ部で上下動するマッサージ用もみ玉と、ローラマッサージャを有するフットレスト部と、を有することを特徴とする。
本発明の第９の要旨は、要旨１乃至８において、イオン発生器を有することを特徴とする。
【図面の簡単な説明】  図１は、本発明の実施の形態に係る電位治療器の側面図である。
図２は、本発明の実施の形態に係る電位治療器の電気的構成を示すブロック図である。
図３は、プログラムにおいて時間の経過とともに変化する交流の波形を示す図である。
図４は、プログラムにおいて時間の経過とともに変化する交流の波形を示す図である。
図５は、プログラムにおいて時間の経過とともに変化する交流の波形を示す図である。
図６は、プログラムにおいて時間の経過とともに変化する交流の波形を示す図である。
図７は、プログラムにおける時間の経過とともに変化する交流の波形と周波数との関係を示す説明図である。
図８は、プログラムＰ１の出力電圧の１サイクルの変化を示すグラフである。
図９は、プログラムＰ１における、１サイクル（出力電圧サイクル）内での時間、電圧、波形、周波数との関係を示す説明図である。
図１０は、プログラム２の出力電圧の１サイクルの変化を示すグラフである。
図１１は、プログラム３の出力電圧の１サイクルの変化を示すグラフである。
図１２は、プログラム４の出力電圧の１サイクルの変化を示すグラフである。
図１３（ａ）、（ｂ）は、プログラム４の出力電圧の１サイクルの変化のその他の例を示すグラフである。
図１４は、第２の実施形態における時間の経過に伴う交流波形と周波数の変化の説明図である。
図１５は、第２の実施形態における時間の経過に伴う交流波形と周波数の変化の説明図である。
図１６は、第３の実施形態における時間の経過に伴う交流波形と周波数の変化の説明図である。
図１７は、第４の実施の形態に係る電位治療器の内部を透視して示した側面図である。
図１８は、図１７の正面図である。
図１９は、従来の出力電圧の変化を示すグラフである。
【発明を実施するための最良の形態】（第１の実施の形態）
以下、図に基づいて本発明の第１の実施形態を説明する。図１は、本実施の形態に係る電位治療器を概略的に示す側面図である。図において、１が電界を発生する極板であり、腰掛け部の内部に配置されている。この電位治療器の操作はひじ掛け部に着脱自在に収納されているリモートコントローラ２によって行われる。３は極板１を制御する制御回路を含む電位治療器本体である。
図２は、本実施の形態に係る電位治療器の電気的構成を示すブロック図である。
電位治療器３は、ＣＰＵ（ｃｅｎｔｒａｌ  ｐｒｏｃｅｓｓｉｎｇ  ｕｎｉｔ：中央演算処理装置）４，ＲＯＭ（ｒｅａｄ−ｏｎｌｙ  ｍｅｍｏｒｙ：読み出し専用メモリ）５，ＲＡＭ（ｒａｎｄｏｍ−ａｃｃｅｓｓ  ｍｅｍｏｒｙ：読書可能メモリ）６を中心構成とするマイクロコンピュータにより構成されている。
リモートコントローラ２からの指示はインタフェース７を介してＣＰＵ４に入力され、ＣＰＵ４からの出力はインタフェース８を介して出力トランス等からなる交流発生回路９に送られ、交流発生回路９で発生された高電圧な交流は極板１へ送られる。高電圧とは、極板１から電位治療器のユーザに治療に適した電界を掛けられる大きさであり、望ましくは８００Ｖ以上９０００Ｖである。また、その電流は極板１からユーザまでの距離、電極１とユーザ間に介在する材質等に依存するが、９０００Ｖ時でも数百マイクロアンペア以下の微弱電流である。
本実施の形態では上述したマイクロコンピュータに、時間の経過とともに其々変化する電圧、交流波形、及び周波数を組み合わせたプログラムを複数種類用意しておき、その中の１つのプログラムをリモートコントローラ２で選択して起動するようにしたものである。以下、具体的に、４つのプログラムを用意する場合を説明する。
（波形）
先ず始めに、各プログラムで使用する複数種類の交流波形について説明する。
本実施形態では、例えば、４種類の波形Ｗ１〜Ｗ４を用意している。図３〜図６は、其々波形Ｗ１〜Ｗ４を示しており、各々の波形は時間の経過とともにそれぞれ異なる変化を示している。
尚、図３〜図６では、各波形Ｗ１〜Ｗ４の差異の比較を明確化にするために同一周波数とし、最大電圧が実効値で９０００Ｖ、ピーク電圧が＋１００００Ｖ、−１２６００Ｖである場合（負側に変位した交流電圧）を示している。
波形Ｗ１〜Ｗ４は、各々の波形毎に差異があればよく、例えば、波形Ｗ１を基準に考えた場合に、波形Ｗ２，波形Ｗ３、及び波形Ｗ４をそれぞれ１周期内での山又は谷の、数、タイミング、或いは大きさが異なる波形変化を示すように設定している。尚、図３〜図６では、基本波形をサイン波とする場合を示したが、その他基本波形としては矩形波や三角波等を使用でき、その基本波形について１周期内での山又は谷の、数、タイミング、或いは大きさを異ならせることで波形変化を実現できる。また、上記説明では同一の基本波形での波形変化を示したが、異なる基本波形を組み合わせることで波形変化の種類を多数実現でき、係る場合には簡単に、波形変化の度合いを大きくできる。
各波形Ｗ１〜Ｗ４の形成は、各波形Ｗ１〜Ｗ４の形状を波形データとしてＲＯＭに記憶し、その記憶する波形データを読み出し、アナログ変換することで形成しているが、電子・電気回路により形成してもよい。
（周波数）
次に、各プログラムで使用する周波数について説明する。
本実施形態では、例えば、各波形Ｗ１〜Ｗ４毎に異なる４種類の周波数としており、例えば、波形Ｗ１は４０Ｈｚ、波形Ｗ２は５０Ｈｚ、波形Ｗ３は６０Ｈｚ、波形Ｗ４は７０Ｈｚのように、各波形毎に一定間隔の周波数差（１０Ｈｚ）を設けている。尚、各周波数、周波数差、及び各波形と各周波数の組合せもこれに限定するものではない。
本実施形態では、波形Ｗ１〜Ｗ４が予め設定された所定期間毎に変化するように設定され、例えば図７に示すように、３０秒毎（波形維持時間、周波数維持時間）に波形Ｗ１〜Ｗ４が順番に変わり、２分で１サイクル（波形サイクル、周波数サイクル）となる。
（出力電圧／プログラム）
次に、各プログラムで使用する出力電圧について説明する。
本実施形態では、プログラム毎に、４種類の出力電圧パターンＶＰ１〜ＶＰ４を用意している。図８、１０，１１、１２は、各プログラムＰ１〜Ｐ４での出力電圧パターンの１サイクル（出力電圧サイクル）の変化をそれぞれ示すグラフである。
（出力電圧パターンＶＰ１／プログラムＰ１）
図８は、プログラムＰ１での１サイクル（出力電圧サイクル）内での時間の経過に伴う電圧変化（出力電圧パターンＶＰ１）を示しており、出力電圧２０００Ｖを８０秒維持し、次いで所定時間毎に所定電圧、例えば１秒ごとに１００Ｖづつ上昇して、７０秒間で９０００Ｖに上昇する。次に、９０００Ｖを８０秒維持し、次いで所定時間毎に所定電圧、例えば１秒ごとに１００Ｖづつ下降して７０秒間で２０００Ｖに戻り１サイクル（出力電圧サイクル）とする。これを１２サイクル６０分続けて終了する。
プログラムＰ１における、１サイクル（出力電圧サイクル）内での時間、電圧、波形、周波数は、例えば、図９のようになる。
（出力電圧パターンＶＰ２／プログラムＰ２）
図１０は、プログラムＰ２での１サイクル（出力電圧サイクル）内での時間の経過に伴う電圧変化パターンＶＰ２を示しており、出力電圧２０００Ｖを１２０秒維持し、次いで所定時間毎に所定電圧、例えば１秒ごとに１００Ｖづつ上昇して、３０秒間で５０００Ｖに上昇する。次に、５０００Ｖを１２０秒維持し、次いで所定時間毎に所定電圧、例えば１秒ごとに１００Ｖづつ下降して３０秒間で２０００Ｖに戻り１サイクル（出力電圧サイクル）とする。これを１２サイクル６０分続けて終了する。
プログラムＰ２でも、上記電圧変化と共に、波形Ｗ１（４０Ｈｚ）、波形Ｗ２（５０Ｈｚ）、波形Ｗ３（６０Ｈｚ）、波形Ｗ４（７０Ｈｚ）が、各３０秒毎に順番に変化する。
（出力電圧パターンＶＰ３／プログラムＰ３）
図１１は、プログラムＰ３での１サイクル（出力電圧サイクル）内での時間の経過に伴う電圧変化を示しており、出力電圧５０００Ｖを１１０秒維持し、次いで所定時間毎に所定電圧、例えば１秒ごとに１００Ｖづつ上昇して、４０秒間で９０００Ｖに上昇する。次に、９０００Ｖを１１０秒維持し、次いで所定時間毎に所定電圧、例えば１秒ごとに１００Ｖづつ下降して４０秒間で５０００Ｖに戻り１サイクル（出力電圧サイクル）とする。これを１２サイクル６０分続けて終了する。
プログラムＰ３でも、上記電圧変化と共に、波形Ｗ１（４０Ｈｚ）、波形Ｗ２（５０Ｈｚ）、波形Ｗ３（６０Ｈｚ）、波形Ｗ４（７０Ｈｚ）が、各３０秒毎に順番に変化する。
（出力電圧パターンＶＰ４／プログラムＰ４）
図１２は、プログラムＰ４での１サイクル（出力電圧サイクル）内での時間の経過に伴う電圧変化を示しており、出力電圧２０００Ｖを８．４５秒維持し、次いで所定時間毎に所定電圧、例えば１秒ごとに１００Ｖづつ上昇して、４０秒間で６０００Ｖに上昇する。次に、６０００Ｖを８．４５秒維持し、次いで所定時間毎に所定電圧、例えば１秒ごとに１００Ｖづつ下降して３０秒間で３０００Ｖに戻る。以下、同様にして、上昇して７０００Ｖ、下降して４０００Ｖ、上昇して８０００Ｖ、下降して５０００Ｖ、上昇して９０００Ｖ、下降して５０００Ｖとする。次に、以上を半サイクルとして、再度上昇して６０００Ｖ、下降して２０００Ｖまで戻り１サイクル（出力電圧サイクル）とする。これを５サイクル６０分続けて終了する。
すなわち、プログラムＰ４では１サイクル（出力電圧サイクル）内で出力電圧が上昇と下降を交互に繰り返し、かつ、隣り合う山−山、隣り合う谷−谷が異なる電圧となり、単に隣合う山−山部分の電位や谷−谷部分の電位が同電位となる上昇下降の繰り返しを避け、１サイクル内でも隣合う山及び隣合う谷の電位に変化を持たせることで、電位変化による治療パターンが増え、慣れを防止することができる。
尚、本実施形態では、１サイクル（出力電圧サイクル）内で時間の経過に伴い隣合う山−山部分の電位の軌跡Ｃ１及び隣合う谷−谷の電位の軌跡Ｃ２（図１２）を徐々に高くなるパターンを示したが、隣合う山−山部分の電位の軌跡Ｃ１及び隣合う谷−谷の電位の軌跡Ｃ２が徐々に低くなるパターンや、１サイクル（出力電圧サイクル）内で時間の経過に伴い隣合う山−山部分の電位の軌跡Ｃ１自体及び谷−谷の電位の軌跡Ｃ２自体が山と谷を繰り返す波形となる場合（図１３（ａ））や、山−山部分の電位の軌跡Ｃ１と谷−谷の電位の軌跡Ｃ２の一方が徐々に上昇し、他方が徐々に下降する波形を形成する場合（図１３（ｂ））など、山−山部分の電位の軌跡Ｃ１と谷−谷の電位の軌跡Ｃ２の変化を組み合わせることでも同様に、電位変化による治療パターンが増え、慣れを防止することができる。
プログラムＰ４でも、上記電圧変化と共に、波形Ｗ１（４０Ｈｚ）、波形Ｗ２（５０Ｈｚ）、波形Ｗ３（６０Ｈｚ）、波形Ｗ４（７０Ｈｚ）が、各３０秒毎に順番に変化する。
以上説明したように、各プログラムＰ１〜Ｐ４では、それぞれの出力電圧パターンＶＰ１〜ＶＰ４で２分、１サイクル（出力電圧サイクル）ごとに、波形Ｗ１〜波形Ｗ４と周波数４０Ｈｚ，５０Ｈｚ，６０Ｈｚ，７０Ｈｚが周期的に変化する。このように、出力電圧パターン、周波数、交流波形が周期的に変化する４タイプのプログラムＰ１〜Ｐ４を設けたので、使用者は体調、体質等に合わせて、その中から自分に最適のプログラムを選択して治療を受けることができる。なお、プログラムの途中でもそのプログラムが自分に不適当と思われたら、それを中止し、再度適当なプログラムに変更すればよい。
さらには、上述のプログラムでは、プログラムＰ１〜Ｐ３（図８、１０、１１）に示すように出力電圧波形が低電圧（２０００Ｖ，５０００Ｖ）と高電位（９０００Ｖ）の２値を採る矩形（正方形、長方形）の方形波ではなく、時間の経過に伴って徐々に電位を上昇又は下降、例えば１秒ごとに１０００Ｖ未満の幅でなだらかに変化（直線的、曲線的な変化、三角波、ｓｉｎ波等）させることで、１０００Ｖ以上の急激な電位差（２０００〜９０００Ｖ、５０００〜９０００Ｖ）が人体に掛かる場合のストレスを避けることでできる。同様に、プログラムＰ４（図１２）の出力電圧波形も方形波ではなく、谷と山部分の間を時間の経過と共に電位差を例えば１秒ごとに１０００Ｖ未満の幅でなだらかに変化（直線的、曲線的な変化、三角波、ｓｉｎ波等）させることで、略１０００Ｖ以上の急激な電位差（２０００〜９０００Ｖ、５０００〜９０００Ｖ）が人体に掛かる場合のストレスを避けることができる。
更に、電圧の上昇、下降の際に１秒ごとに約９０Ｖ〜１１０Ｖ、望ましくは１００Ｖ（略１００Ｖを含む）で変更することで出力トランスへの負担が軽減され、出力トランスの劣化が少なくなり、その分寿命が伸びる効果もある。
上記第１の実施の形態では、１の波形に対する周波数が１対１に対応する構成を説明したが、本発明はそれに限定されるものではない。以下、１の波形に対して周波数が変化する場合を説明する。
［第２の実施の形態］
本実施形態では、同一の交流波形を出力する連続時間内で周波数が所定時間毎に変化する。尚、各プログラムＰ１〜Ｐ４の出力電圧パターンの１サイクルの変化は、第１の実施形態と同一であり、説明を省略する。
本実施形態における時間の経過に伴う交流波形と周波数の変化を図１４に示す。
本実施形態での各波形Ｗの変化時間は、同一プログラムを実行中に、例えば４０秒（波形維持時間）毎に順番に変わると共に、各波形維持時間内での周波数も例えば５秒（周波数維持時間）毎に変化する。
周波数の変化は、予め用意されている周波数（４０Ｈｚ、５０Ｈｚ、６０Ｈｚ、７０Ｈｚ）の中で昇順に変化し、最大値となった後は最小値に戻る。尚、予め設定する周波数は、周波数自体を設定しても、周波数範囲と周波数差により設定する手段など、その設定方法を限定するものではない。
尚、本実施の形態では波形維持時間内での周波数の変化を段階的に昇順に大きくなるように設定したが、降順に小さくしたり、図１５に示すように周波数の増加と減少を繰り返すようにしてもよい（周波数維持時間＝１５秒）。
以上説明した第２実施形態の構成においても、前記第１の実施の形態と同様の作用効果を奏する。
上記第２の実施の形態では、１の波形に対して周波数が変化する例として、同一波形の連続時間（波形維持時間）内で周波数が周期的に変化する場合を示したが、その他の例を以下に説明する。
［第３の実施の形態］
本実施形態では、１の波形に対して周波数が変化する態様として、波形Ｗ１〜Ｗ４の１サイクル（波形サイクル）毎に、波形に対応する周波数が変化する場合を説明する。尚、各プログラムＰ１〜Ｐ４の出力電圧の１サイクルの変化は、第１の実施形態と同一であり、説明を省略する。
各波形の変化時間は、図１６に示すように、例えば３０秒毎（波形変更サイクル）に順番に変わり２分で１サイクル（波形サイクル）となると共に、連続する波形サイクルにおいて波形と周波数の関係が異なるものである。例えば、同一波形の周波数が、各波形サイクル毎に、用意されている周波数の中で昇順に変更し、最大値となった後は最小値に戻るように変化する。
尚、同一波形の周波数が、各波形サイクル毎に、用意されている周波数の中で降順に変更したり、周波数の増加と減少を繰り返すようにしてもよい。
以上、実施の形態２、３では、波形Ｗを基準に周波数の変化の態様を説明したが、同様の態様で周波数を基準に波形Ｗを変化させてもよい。
また、電圧、波形、周波数の組み合わせは、上述した４タイプのプログラムに限定されるものではなく、他の組み合わせのプログラムを用いることも可能である。
また、各波形毎の周波数差を選択する構成とすることで、より汎用的な制御が可能となる。
また、上述のプログラムでは、周波数を段階的（非線形）に変化させたが連続的（線形）に変化させることも可能である。
［第４の実施の形態］
次に、上記説明した電位治療器にマッサージ器とイオン発生器を取り付けた実施形態を説明する。尚、上記した構成と同一部分には同一符号を付して説明を省略する。
図１７は、内部を透視して示した側面図であり、図１８は、図１７の正面図である。背もたれ部１０の内部に設けたマッサージユニット１１は、ユーザの首肩、背中、腰部分を、その被マッサージ部分を時間と共に変更しながら押圧や挟圧するマッサージ器であり、図１８に示すように、もみ玉１１ａを背もたれ部１０の幅方向Ｘに所定間隔を置いて２個、長手方向（使用するユーザの身長方向）Ｙに所定間隔を置いて２列の計４個設けている。
マッサージユニット１１は、長手方向Ｙに延びたレール１２上を図示しない上下モータにより上下動可能で、もみ玉１１ａが肩位置から腰位置まで移動する。また、幅方向Ｘに設けたもみ玉１１ａは、幅方向Ｘに関して時間の経過と共に互いに逆向きに移動可能となっており、時間の経過と共に、押圧部分と、互いのもみ玉１１ａで挟み込む挟圧部分とを変更可能としている。また、長手方向Ｙのもみ玉１１ａ−１１ａ間隔も、長手方向Ｙに関して、時間の経過と共に互いに逆方向に移動するようにすることで、長手方向Ｙに関する挟圧マッサージが可能となる。
レール１２の下端近くには、マッサージユニット１１用の制御基板１３が配置されている。
フットレスト１４は、ユーザの足、例えば足裏（足裏側面を含む）やふくらはぎ部分を、その被マッサージ部分を時間と共に変更しながら押圧や挟圧する可能とするローラ等からなる回転式マッサージ器を有し、電極１を内部に配置した腰掛け部の先端側に設けられている。
フットレスト１４は、マッサージ箇所に応じて回転式マッサージ器の位置を変更可能としており、足裏マッサージ目的の場合には回転式マッサージ器が腰掛け部の先端側の下部に位置し、ふくらはぎマッサージ目的等の場合には腰掛け部の腰掛面に略延長方向に位置するよう揺動、或いは前進移動等する構成である。
背もたれ部１０の上端には支柱１５が設けられ、その先端にはイオン発生ユニット１６が支持されている。イオン発生ユニット１６は、略背もたれ部１０方向に向かって約１２０００００個／ｃｃのマイナスイオンを発生する。マイナスイオンは電子機器等より発生するプラスイオンを中和し、森林浴効果、リフレッシュ効果により、疲労回復を早める。
また、背もたれ部１０の表面部分には、電熱ヒータ１７が配置されている。これら電位治療器本体３、マッサージユニット１１、フットレスト１４、イオン発生ユニット１６および電熱ヒータ１７の操作は、肘掛け部に着脱自在に収納されているリモートコントローラ２により行われる。右側の肘掛け内部には、主制御基板１８が配置され、電位治療とマッサージ動作とを切り換える。なお、この電位治療器には、リクライニング機能が備えられ、図示しないスイッチを操作することで、背もたれ部１１が後方に傾斜してフットレスト１４が腰掛け部との角度を小さくする方向（腰掛け部と略フラットな状態となる方向）に揺動（前進）する。
このように構成することで、この電位治療器を電位治療器として使用する場合は、電位治療器に腰掛けた後、リモートコントローラ２を操作して、電位治療器本体３を作動させて高電圧を発生し電極１に印加させることで電位治療器として使用する。また、マッサージ器として使用する場合は、電位治療器に腰掛けた後、リモートコントローラ２を操作して、マッサージユニット１１を作動させるとともに、フットレスト１４内の回転式マッサージャを作動させて、マッサージ器として使用する。さらに、イオン発生器として使用する場合は、リモートコントローラ２を操作して、イオン発生ユニット１６に電源を投入することで、イオン発生ユニット１６からマイナスイオンが発生する。また、背中を温めたい場合は、リモートコントローラ２を操作して、電熱ヒータ１７のスイッチをオンすればよい。
以上のように１台の電位治療器によって、マイナスイオンによる森林効果、リフレッシュ効果を得られる環境下で、マッサージによる筋肉疲労の緩和や血行促進したユーザの心身のリラックス状態となったところで電位治療を受けたり、電位治療後の状態でマッサージすることで、相乗効果的にその効果が得られ、単に電位治療とマッサージ器を別個に受ける場合に較べてより効果的である。
また、電位治療器とマッサージ器、電位治療器とイオン発生器、又は電位治療器とマッサージ器とイオン発生器を必要とする利用者は、それぞれを個別に購入することなく１台の購入ですみ、従来の専用器をそれぞれ設置する場合に比べ、設置面積が半分以下となる効果がある。
以上述べたように本発明によれば、時間の経過とともに変化する電圧、波形、周波数を組み合わせた異なる強度のプログラムを複数用意しておくことが可能となり、その中から最適と思われる強度のプログラムを選択して電位治療器を作動させることで、使用者の体質、体調、使用回数等に応じた最適の治療が可能になる。
また、時間の経過とともに変化する電圧を示す交流パターンに、方形波パターンを用いないことで、急激な電位差が人体に掛かることにより受けるストレスを防ぐことができる。
また、交流パターンでの電圧変更を、１秒ごとに９０〜１１０ボルトステップで上昇または下降させることで、出力トランスへの負担が軽減され、出力トランスの劣化が少なくなり、その分寿命を伸ばすことができる。
また、電位治療器にマッサージ器やイオン発生器を取り付けることで、１台の電位治療器により総合的にユーザの疲労回復等が図れる。また、電位治療器とマッサージ器、電位治療器とイオン発生器、又は電位治療器とマッサージ器とイオン発生器を必要とする利用者は、それぞれを個別に購入することなく１台の購入ですみ、従来の専用器をそれぞれ設置する場合に比べ、設置面積が半分以下となる効果がある。
【産業上の利用可能性】  本発明に係る電位治療器は、肩凝り、頭痛、不眠症、慢性便秘等の場合に使用者の体質、体調、使用回数等に応じた最適な治療に適しており、更に、マッサージを受けたり、マイナスイオンによる森林効果、リフレッシュ効果を得る電位治療器に適している。
【図１】
2004030754.tif 000003
【図２】
2004030754.tif 000004
【図３】
2004030754.tif 000005
【図４】
2004030754.tif 000006
【図５】
2004030754.tif 000007
【図６】
2004030754.tif 000008
【図７】
2004030754.tif 000009
【図８】
2004030754.tif 000010
【図９】
2004030754.tif 000011
【図１０】
2004030754.tif 000012
【図１１】
2004030754.tif 000013
【図１２】
2004030754.tif 000014
【図１３】
2004030754.tif 000015
【図１４】
2004030754.tif 000016
【図１５】
2004030754.tif 000017
【図１６】
2004030754.tif 000018
【図１７】
2004030754.tif 000019
【図１８】
2004030754.tif 000020
【図１９】
2004030754.tif 000021
【手続補正書】
【提出日】平成16年10月14日(2004.10.14)
【手続補正００１】
【補正対象書類名】特許請求の範囲
【補正対象項目名】全文
【補正方法】変更
【補正の内容】
【書類名】特許請求の範囲
【請求項１】負側に偏位した高電圧交流を電界発生極板に印加して負の電界を発生する電位治療器において、
時間の経過とともに電圧が変化する電圧変化パターンを複数記憶した電圧変化パターン記憶手段と、
前記電圧変化パターン記憶手段に格納された複数の電圧変化パターンの中から１つを選択する電圧変化パターン選択手段と、
前記電圧変化パターン選択手段により選択された電圧変化パターンを前記電圧変化パターン記憶手段から読み取ってその電圧変化パターンに応じて電圧が変化する高電圧交流を発生する交流発生回路と、を備え、
前記電圧変化は、１秒ごとに９０〜１１０ボルトステップで上昇または下降することを特徴とする電位治療器。
【請求項２】（削除）
【請求項３】（削除）
【請求項４】負側に偏位した高電圧交流を電界発生極板に印加して負の電界を発生する電位治療器において、
時間の経過とともに変化する電圧と波形、電圧と周波数、又は電圧と波形と周波数にて作成された複数の交流パターンを記憶した交流パターン記憶手段と、
前記交流パターン記憶手段に格納された複数の交流パターンの中から１つを選択する交流パターン選択手段と、
前記交流パターン選択手段により選択された交流パターンを前記交流パターン記憶手段から読み取ってその交流パターンに応じて電圧、波形、周波数が変化する高電圧交流を発生する交流発生回路と、を備え、
前記電圧変化は、１秒ごとに９０〜１１０ボルトステップで上昇または下降することを特徴とする電位治療器。
【請求項５】前記請求の範囲第１項に記載の電位治療器において、
前記電圧変化パターンは、方形波パターンではないことを特徴とする電位治療器。
【請求項６】前記請求の範囲第４項に記載の電位治療器において、
前記交流パターンは、方形波パターンではないことを特徴とする電位治療器。
【請求項７】（削除）
【請求項８】前記請求の範囲第１項、第４項、第５項、又は第６項に記載の電位治療器において、
マッサージ器を有することを特徴とする電位治療器。
【請求項９】前記請求の範囲第８項に記載の電位治療器において、
前記マッサージ器は、背もたれ部で上下動するマッサージ用もみ玉と、ローラマッサージャを有するフットレスト部と、を有することを特徴とする電位治療器。
【請求項１０】前記請求の範囲第１項、第４項から第６項、第８項及び第９項の何れかに記載の電位治療器において、
イオン発生器を有することを特徴とする電位治療器。




【国際調査報告】
2004030754.tif 000022
2004030754.tif 000023
2004030754.tif 000024
2004030754.tif 000025